(57)【要約】【課題】ベース体と飾り部材とを備える弾球遊技機用役物において、飾り部材の打球誘導路の設計を、具体的な盤面構成に応じて、ベース体の入賞球進入口の開口位置に制限されることなく、自由に行えるようにする。【解決手段】遊技盤面２０の正面方向に臨む入賞球進入口４４及び入賞球進入口４４から遊技盤面２０の背面へ連通して入賞球９５が通行可能な入賞球通路４７を有するベース体４０、入賞球通路４７に挿入される被挿入部材６０並びにベース体４０の正面側に装着され打球９０が進入可能な開口部５１及び開口部５１から入賞球進入口４４まで打球９０を誘導する打球誘導路５２を有する飾り部材５０を備え、被挿入部材６０として入賞球９５の通過を検知する入賞部材７０又は入賞球９５の進入を阻止する外れ部材８０が入賞球通路４７に挿入され、飾り部材５０は入賞球通路４７に入賞部材７０が挿入される場合は当該入賞球進入口４４へ打球９０を誘導し、外れ部材８０が挿入される場合は打球９０を遊技盤面２０へ排出する。【選択図】  図２
2004174128.tif 000002
【特許請求の範囲】
【請求項１】
弾球遊技が展開される遊技盤面の所要位置に装着され、該遊技盤面の正面方向に臨む入賞球進入口、及び、
前記入賞球進入口から前記遊技盤面の背面へ連通して入賞球が通行可能な入賞球通路
を有するベース体、
前記入賞球通路に挿入される被挿入部材、並びに、
前記ベース体の正面側に装着され、打球が進入可能な開口部及び該開口部から前記入賞球進入口まで打球を誘導する打球誘導路を有する飾り部材
を備える弾球遊技機用役物であって、
前記被挿入部材として、
入賞球が通過可能な径の通過孔を有するとともに該通過孔への入賞球の通過を検知する検知部を有する入賞部材、又は、
前記入賞球進入口への入賞球の進入を阻止する阻止部を有する外れ部材
のいずれかが入賞球通路に挿入されるとともに、
前記飾り部材において、前記入賞球通路に入賞部材が挿入されている場合の入賞球進入口までの打球誘導路は、当該入賞球進入口へ打球を誘導する形状とされ、また、前記入賞球通路に外れ部材が挿入されている場合の入賞球進入口までの打球誘導路は、打球を遊技盤面へ排出する形状とされていることを特徴とする弾球遊技機用役物。
【請求項２】
弾球遊技が展開される遊技盤面の所要位置に装着され、該遊技盤面の正面方向に臨む２の入賞球進入口、及び、
前記入賞球進入口の各々から前記遊技盤面の背面へ連通して入賞球が通行可能な入賞球通路
を有するベース体、
前記入賞球通路の各々に挿入される被挿入部材、並びに、
前記ベース体の正面側に装着され、打球が進入可能な開口部及び該開口部から前記入賞球進入口の各々まで分岐して打球を誘導する打球誘導路を有する飾り部材
を備える弾球遊技機用役物であって、
前記被挿入部材として、
入賞球が通過可能な径の通過孔を有するとともに該通過孔への入賞球の通過を検知する検知部を有する入賞部材、又は、
前記入賞球進入口への入賞球の進入を阻止する阻止部を有する外れ部材
のいずれかが入賞球通路ごとに挿入されるとともに、
前記飾り部材において、前記２の入賞球通路に挿入される被挿入部材の組み合わせに応じて、入賞部材が挿入されている側の入賞球進入口までの打球誘導路は、当該入賞球進入口へ打球を誘導する形状とされ、また、外れ部材が挿入されている側の入賞球進入口までの打球誘導路は、打球を遊技盤面へ排出する形状とされていることを特徴とする弾球遊技機用役物。
【請求項３】
弾球遊技が展開される遊技盤面の所要位置に装着され、該遊技盤面の正面方向に臨む入賞球進入口、
前記入賞球進入口の辺縁と被切断部を介して連結することで当該入賞球進入口への打球の進入を阻止する阻止部材、及び、
前記入賞球進入口の各々から前記遊技盤面の背面へ連通して、前記被切断部が切断され当該阻止部材が除去されることで当該入賞球進入口が開放した場合に入賞球が通行可能な入賞球通路
を有するベース体、並びに、
前記ベース体の正面側に装着され、打球が進入可能な開口部及び該開口部から前記入賞球進入口まで打球を誘導する打球誘導路を有する飾り部材
を備える弾球遊技機用役物であって、
前記飾り部材において、前記阻止部材が除去されている入賞球進入口までの打球誘導路は、当該入賞球進入口へ打球を誘導する形状とされ、また、前記阻止部材が残存している入賞球進入口までの打球誘導路は、打球を遊技盤面へ排出する形状とされていることを特徴とする弾球遊技機用役物。
【請求項４】
弾球遊技が展開される遊技盤面の所要位置に装着され、該遊技盤面の正面方向に臨む２の入賞球進入口、
前記各入賞球進入口の辺縁と被切断部を介して連結することで当該入賞球進入口への打球の進入を阻止する阻止部材、及び、
前記入賞球進入口の各々から前記遊技盤面の背面へ連通して、前記被切断部が切断され当該阻止部材が除去されることで当該入賞球進入口が開放した場合に入賞球が通行可能な入賞球通路
を有するベース体、並びに、
前記ベース体の正面側に装着され、打球が進入可能な開口部及び該開口部から前記入賞球進入口の各々まで分岐して打球を誘導する打球誘導路を有する飾り部材
を備える弾球遊技機用役物であって、
前記飾り部材において、前記２の入賞球進入口でそれぞれ前記阻止部材が除去されているか、又は、残存しているかの組み合わせに応じて、除去されている側の入賞球進入口までの打球誘導路は、当該入賞球進入口へ打球を誘導する形状とされ、また、残存している側の入賞球進入口までの打球誘導路は、打球を遊技盤面へ排出する形状とされていることを特徴とする弾球遊技機用役物。
【発明の詳細な説明】
【０００１】
【発明の属する技術分野】
本発明は、弾球遊技機の遊技盤面に装着される入賞装置のような役物に関する。
【０００２】
【従来の技術】
従来から、弾球遊技機には、遊技盤面の所要位置に機種ごとに様々な入賞口や通過口が設置されている。そして、遊技内容や釘配列に応じて、通過口を構成する装置（以下、「通過装置」と称する。）や入賞口を構成する装置（以下「入賞装置」と称する。）が弾球遊技機の機種ごとに設計、製作されている。
【０００３】
これまでは、通過装置と入賞装置とは、それぞれ使用目的及び機能が異なるため異なる構造を有しており、互いに流用することは不可能であった。したがって、機種を増やすごとに、それぞれの装置の部品点数も増加し、管理が煩雑になるとともに、設計コストも増大することとなっていた。
そこで、近年では、下記の特許文献１に開示されるように、入賞装置の飾り部材（盤面上で視認される部分をいう）として通過口用と入賞口用との２種類を用意し、用途に応じて装飾部分のみを交換することで、通過装置又は入賞装置のいずれにも利用可能な役物が提案されている。より具体的には、遊技板の役物設置孔に装着されるベース体には入賞球進入口が開口している。そして、ベース体に装着される飾り部材内部の打球誘導路は、当該役物を入賞装置として使用する場合には、その入賞球進入口へ向かって打球を誘導するような形状となっているが、通過装置として使用する場合には、その入賞球進入口を避けるような形状となっている。ここで、入賞球進入口を避けるような形状とは、入賞球進入口の全体を避けるもののみならず、入賞球進入口の一部にはかかるものの当該一部からは打球の進入が不可能であるようなものをもいう。
【０００４】
【特許文献１】
特開平１１−２９９９７４号公報
【０００５】
【発明が解決しようとする課題】
上記従来技術においては、上述の通り、当該役物を通過装置として使用する場合には、飾り部材内部の打球誘導路は、ベース体の入賞球進入口を避けるような形状とならざると得なかった。したがって、たとえば、当該役物を通過装置として使用したい場合において、打球誘導路が入賞球進入口の全体を通るような形状とすることはできず、打球の排出される角度も自ずと限られてくるという構造上の制約があり、遊技内容の多様化に伴う盤面構成の自由度には必ずしも対応しきれてはいなかった。
【０００６】
そこで、本発明は、ベース体と飾り部材とを備える弾球遊技機用役物において、飾り部材の打球誘導路の設計を、具体的な盤面構成に応じて、ベース体の入賞球進入口の開口位置に制限されることなく、自由に行えるようにすることを課題とする。
【０００７】
【課題を解決するための手段】
以下の各発明についての説明において、「入賞」とは、賞球の払い出しや、所定の権利発生等、遊技者にとって有利な状態が発生することをいう。また、「打球９０」とは、弾球装置から発射された遊技球のことをいう。さらに、「入賞球９５」とは、打球９０のうち、入賞に係るものをいう。
【０００８】
（１）第１の発明
先述の課題に鑑み、本発明のうちの第１の発明は、弾球遊技が展開される遊技盤面２０の所要位置に装着され、該遊技盤面２０の正面方向に臨む入賞球進入口４４、及び、前記入賞球進入口４４から前記遊技盤面２０の背面へ連通して入賞球９５が通行可能な入賞球通路４７を有するベース体４０、前記入賞球通路４７に挿入される被挿入部材６０、並びに、前記ベース体４０の正面側に装着され、打球９０が進入可能な開口部５１及び該開口部５１から前記入賞球進入口４４まで打球９０を誘導する打球誘導路５２を有する飾り部材５０を備える弾球遊技機用役物３０であって、前記被挿入部材６０として、入賞球９５が通過可能な径の通過孔７２を有するとともに該通過孔７２への入賞球９５の通過を検知する検知部７３を有する入賞部材７０、又は、前記入賞球進入口４４への入賞球９５の進入を阻止する阻止部８２を有する外れ部材８０のいずれかが入賞球通路４７に挿入されるとともに、前記飾り部材５０において、前記入賞球通路４７に入賞部材７０が挿入されている場合の入賞球進入口４４までの打球誘導路５２は、当該入賞球進入口４４へ打球９０を誘導する形状とされ、また、前記入賞球通路４７に外れ部材８０が挿入されている場合の入賞球進入口４４までの打球誘導路５２は、打球９０を遊技盤面２０へ排出する形状とされていることを特徴とする。
【０００９】
本第１の発明に係る弾球遊技機用役物３０は、ベース体４０、被挿入部材６０及び飾り部材５０から構成される。
ベース体４０は、弾球遊技が展開される遊技盤面２０の所要位置に装着され、以下の構成を備える。
▲１▼入賞球進入口４４。これは、該遊技盤面２０の正面方向に臨んで開口するものである。
【００１０】
▲２▼入賞球通路４７。これは、前記入賞球進入口４４から前記遊技盤面２０の背面へ連通して入賞球９５が通行可能な通路である。
被挿入部材６０は、前記入賞球通路４７に挿入される部材である。この被挿入部材６０は、以下の２通りの態様のうちのいずれかをとる。
▲１▼入賞部材７０。これは、入賞球９５が通過可能な径の通過孔７２を有する。また、該通過孔７２への入賞球９５の通過を検知する検知部７３をも有する。この検知部７３としては、たとえば、光学センサ等をもって充てることができる。
【００１１】
▲２▼外れ部材８０。これは、前記入賞球進入口４４への打球９０の進入を阻止する阻止部８２を有する。この阻止部８２は、入賞球進入口４４の開口に位置して、打球９０の進入が阻止できる程度の大きさのものであれば足りる。
ところで、実際の遊技盤面２０は、おおむね以下のように形成される。すなわち、ベニヤ板等で形成される盤素材に、表面セル加工で絵や模様等を描くとともに、所定個所にルータ加工を施して役物が備え付けられる孔（役物設置孔１２）を形成し、さらに釘打ちを施して遊技板１１が形成される。さらに、この遊技板１１に役物を装着したものが遊技盤面２０となる。そして、上記ベース体４０は、上記役物設置孔１２に入賞球通路４７を挿入するようにして装着される。また、このベース体４０が装着されることで、この役物設置孔１２はベース体４０により塞がれ、あとは入賞球進入口４４のみが正面方向に開口することとなる。そして、この入賞球通路４７に挿入される被挿入部材６０の種類により、１個の役物設置孔１２が、入賞口として機能したり、又は、しなかったりすることとなる。
【００１２】
飾り部材５０は、前記ベース体４０の正面側に装着される部材で、以下の構成を備える。
▲１▼開口部５１。これは、打球９０が進入可能な径を有する。
▲２▼打球誘導路５２。これは、飾り部材５０の中を、該開口部５１から前記入賞球進入口４４まで打球９０を誘導する通路である。この打球誘導路５２は、前記入賞球通路４７に被挿入部材６０として入賞部材７０が挿入されているか又は外れ部材８０が挿入されているかにより、以下の２通りのうちのいずれかの態様をとる。
【００１３】
（ａ）入賞部材７０が挿入されている場合、入賞球進入口４４までの打球誘導路５２は、当該入賞球進入口４４へ打球９０を誘導する形状とされる。たとえば、打球誘導路５２の末端を、当該入賞球進入口４４付近で盲端５４にすることができる。そして、この盲端５４に至った打球９０は当該入賞球進入口４４以外に行き場がなくなることによって、当該打球９０を当該入賞球進入口４４へ誘導することとなる。
【００１４】
（ｂ）外れ部材８０が挿入されている場合、入賞球進入口４４までの打球誘導路５２は、打球９０を遊技盤面２０へ排出する形状とされる。たとえば、打球誘導路５２の末端を、当該入賞球進入口４４を通過して遊技盤面２０に向けた開放端５３とすることができる。そして、外れ部材８０の阻止部８２により、打球９０は当該入賞球進入口４４へ進入し得ず、これを通過する。そして、打球９０はこの開放端５３へ至り、遊技盤面２０に排出されることとなる。
【００１５】
たとえば、ベース体４０の入賞球通路４７に入賞部材７０が被挿入部材６０として挿入されている場合には、当該入賞球進入口４４はいわゆる入賞口として取り扱われることとなる。この場合、当該ベース体４０には、当該入賞球進入口４４へと打球９０を誘導する形状の打球誘導路５２を備えた飾り部材５０が装着されることとなる。
そして、この飾り部材５０の開口部５１から打球９０が進入すると、この打球９０は打球誘導路５２を通じて、当該入賞球進入口４４へと誘導され、進入することとなる。当該入賞球進入口４４へ進入した打球９０は、入賞球９５として、入賞球通路４７を通行し、入賞部材７０の通過孔７２を通過する。この際、検知部７３によりこの通過が検知されることにより、この打球９０により入賞が発生したものとされる。
【００１６】
一方、ベース体４０の入賞球通路４７に外れ部材８０が被挿入部材６０として挿入されている場合には、当該入賞球進入口４４はいわゆる入賞口として取り扱われることはない。この場合、当該ベース体４０には、この打球９０を遊技盤面２０へ排出する形状の打球誘導路５２を備えた飾り部材５０が装着されることとなる。
そして、この飾り部材５０の開口部５１から打球９０が進入すると、この打球９０は打球誘導路５２を通じて、当該入賞球進入口４４へと至る。しかし、外れ部材８０の阻止部８２により当該入賞球進入口４４には当該打球９０は進入し得ない。したがって、当該打球９０は入賞球進入口４４を通過し、遊技盤面２０へ排出される。すなわち、当該打球９０は、入賞を発生させることなく、「外れ」となる。
【００１７】
実際には、ベース体４０の入賞球通路４７の態様（すなわち、入賞部材７０が挿入されるか、又は、外れ部材８０が挿入されるか）に応じた形状の打球誘導路５２を有する飾り部材５０をあらかじめ形成しておくこととなる。
上記構成により、役物設置孔１２の各々について、実際の遊技盤面２０の仕様に応じて、入賞口として取り扱うか否かに関わらず、ベース体４０は共通とすることが可能となる。そして、当該役物設置孔１２を入賞口として取り扱う場合には入賞部材７０を、又は、入賞口として取り扱わない場合には外れ部材８０を、それぞれ被挿入部材６０として入賞球通路４７に挿入し、さらに、この被挿入部材６０の態様に応じた飾り部材５０をベース体４０に装着することで、入賞装置を形成したり、又は、単に打球９０が通過するに過ぎない通過装置を形成したりすることが可能となっている。
【００１８】
すなわち、▲１▼１種類のベース体４０、▲２▼被挿入部材６０としての入賞部材７０及び外れ部材８０、並びに▲３▼▲２▼の態様に応じた種類の飾り部材５０、という部品の組み合わせによって、実際の弾球遊技機１０の仕様に応じて、入賞装置を構成したり、また、通過装置を構成したりすることが可能となっている。また、この弾球遊技機用役物３０を通過装置として使用する場合においても、飾り部材５０の打球誘導路５２の形状を、ベース体４０の入賞球進入口４４の位置を避けるように設計する必要はなくなっている。
【００１９】
（２）第２の発明
本発明のうちの第２の発明は、弾球遊技が展開される遊技盤面２０の所要位置に装着され、該遊技盤面２０の正面方向に臨む２の入賞球進入口４４、及び、前記入賞球進入口４４の各々から前記遊技盤面２０の背面へ連通して入賞球９５が通行可能な入賞球通路４７を有するベース体４０、前記入賞球通路４７の各々に挿入される被挿入部材６０、並びに、前記ベース体４０の正面側に装着され、打球９０が進入可能な開口部５１及び該開口部５１から前記入賞球進入口４４の各々まで分岐して打球９０を誘導する打球誘導路５２を有する飾り部材５０を備える弾球遊技機用役物３０であって、前記被挿入部材６０として、入賞球９５が通過可能な径の通過孔７２を有するとともに該通過孔７２への入賞球９５の通過を検知する検知部７３を有する入賞部材７０、又は、前記入賞球進入口４４への入賞球９５の進入を阻止する阻止部８２を有する外れ部材８０のいずれかが入賞球通路４７ごとに挿入されるとともに、前記飾り部材５０において、前記２の入賞球通路４７に挿入される被挿入部材６０の組み合わせに応じて、入賞部材７０が挿入されている側の入賞球進入口４４までの打球誘導路５２は、当該入賞球進入口４４へ打球９０を誘導する形状とされ、また、外れ部材８０が挿入されている側の入賞球進入口４４までの打球誘導路５２は、打球９０を遊技盤面２０へ排出する形状とされていることを特徴とする。
【００２０】
すなわち、本第２の発明における各構成要素の意義は前記第１の発明におけるものと同様である。しかし、前記の第１の発明に係る弾球遊技機用役物３０においては、ベース体４０に設けられる入賞球進入口４４及び入賞球通路４７の数については特に限定はないが、本第２の発明は、ベース体４０に設けられる入賞球進入口４４及び入賞球通路４７の数を２個と限定した点で前記第１の発明と相違している。
【００２１】
すなわち、入賞球通路４７は、各入賞球進入口４４に応じて別個に設けられることとなっている。
また、被挿入部材６０は、各々の入賞球通路４７について、入賞部材７０又は外れ部材８０が挿入されることとなる。すなわち、１のベース体４０については、被挿入部材６０の態様は、以下の４通りが可能となっている。
【００２２】
▲１▼両入賞球通路４７とも入賞部材７０。
▲２▼一方の入賞球通路４７には入賞部材７０、及び、他方には外れ部材８０。
▲３▼一方の入賞球通路４７には外れ部材８０、及び、他方には入賞部材７０。
▲４▼両入賞球通路４７とも外れ部材８０。
さらに、飾り部材５０内部の打球誘導路５２については、開口部５１から各入賞球進入口４４まで分岐し、その末端は２つあることとなっている。
【００２３】
そして、その打球誘導路５２の形状は、上記被挿入部材６０の態様に対応して、以下の通りとなる。
▲１▼両末端とも、入賞球進入口４４へ打球９０を誘導する形状。
▲２▼一方の入賞球進入口４４に当たる末端は入賞球進入口４４へ打球９０を誘導する形状、及び、他方に当たる末端は打球９０を遊技盤面２０へ排出する形状。
【００２４】
▲３▼一方の入賞球進入口４４に当たる末端は打球９０を遊技盤面２０へ排出する形状、及び、他方に当たる末端は入賞球進入口４４へ打球９０を誘導する形状。
▲４▼両末端とも、打球９０を遊技盤面２０へ排出する形状。
すなわち、飾り部材５０としては、上記４通りの形状に対応する物をあらかじめ形成しておけばよいこととなる。そして、上記▲１▼の場合には、１の役物設置孔１２が、２の入賞口として機能することとなる。また、上記▲２▼及び▲３▼の場合には、１の役物設置孔１２が、１の入賞口として機能するが、その位置について２通りの態様があり得る。さらに、上記▲４▼の場合には、１の役物設置孔１２を入賞口として機能させないこととなる。
【００２５】
すなわち、▲１▼１種類のベース体４０、▲２▼被挿入部材６０としての入賞部材７０及び外れ部材８０、並びに▲３▼４種類の打球誘導路５２の形状に応じた飾り部材５０、という部品の組み合わせによって、実際の弾球遊技機１０の仕様に応じて、２の入賞口を有し専ら入賞装置として機能する役物を構成したり、入賞装置と通過装置とを兼ね備えた役物を構成したり、又は、専ら通過装置として機能する役物を構成したりすることが可能となっている。また、この弾球遊技機用役物３０を通過装置として使用する場合においても、飾り部材５０の打球誘導路５２の形状を、ベース体４０の入賞球進入口４４の位置を避けるように設計する必要はなくなっている。
【００２６】
（３）第３の発明
先述の課題に鑑み、本発明のうち第３の発明は、弾球遊技が展開される遊技盤面２０の所要位置に装着され、該遊技盤面２０の正面方向に臨む入賞球進入口４４、前記入賞球進入口４４の辺縁と被切断部４５ａを介して連結することで当該入賞球進入口４４への打球９０の進入を阻止する阻止部材４５、及び、前記入賞球進入口４４の各々から前記遊技盤面２０の背面へ連通して、前記被切断部４５ａが切断され当該阻止部材４５が除去されることで当該入賞球進入口４４が開放した場合に入賞球９５が通行可能な入賞球通路４７を有するベース体４０、並びに、前記ベース体４０の正面側に装着され、打球９０が進入可能な開口部５１及び該開口部５１から前記入賞球進入口４４まで打球９０を誘導する打球誘導路５２を有する飾り部材５０を備える弾球遊技機用役物３０であって、前記飾り部材５０において、前記阻止部材４５が除去されている入賞球進入口４４までの打球誘導路５２は、当該入賞球進入口４４へ打球９０を誘導する形状とされ、また、前記阻止部材４５が残存している入賞球進入口４４までの打球誘導路５２は、打球９０を遊技盤面２０へ排出する形状とされていることを特徴とする。
【００２７】
本第３の発明に係る弾球遊技機用役物３０は、ベース体４０及び飾り部材５０から構成される。
ベース体４０は、弾球遊技が展開される遊技盤面２０の所要位置に装着され、以下の構成を備える。
▲１▼入賞球進入口４４。これは、該遊技盤面２０の正面方向に臨んで開口するものである。
【００２８】
▲２▼阻止部材４５。これは、前記入賞球進入口４４の辺縁と被切断部４５ａを介して連結することで当該入賞球進入口４４への入賞球９５の進入を阻止する部材である。この阻止部材４５の大きさについては、当該入賞球進入口４４の大きさ以下であって、阻止部材４５と当該入賞球進入口４４の辺縁との間の間隙が、打球９０が進入し得ない程度であれば足りる。なお、「被切断部４５ａ」とは、ニッパー等の工具を用いて容易に切断可能な部分をいう。この被切断部４５ａは、１の入賞球進入口４４につき、２個所以上設けられるのが望ましい。
【００２９】
▲３▼入賞球通路４７。これは、前記入賞球進入口４４の各々から前記遊技盤面２０の背面へ連通する通路である。なお、前記入賞球進入口４４には上述の通り阻止部材４５が被切断部４５ａを介して連結されているが、この被切断部４５ａが切断され当該阻止部材４５が除去されることで当該入賞球進入口４４が開放した場合には、この入賞球通路４７を入賞球９５が通行可能となる。
【００３０】
ところで、実際の遊技盤面２０は、おおむね以下のように形成される。すなわち、ベニヤ板等で形成される盤素材に、表面セル加工で絵や模様等を描くとともに、所定個所にルータ加工を施して役物が備え付けられる孔（役物設置孔１２）を形成し、さらに釘打ちを施して遊技板１１が形成される。さらに、この遊技板１１に役物を装着したものが遊技盤面２０となる。そして、上記ベース体４０は、上記役物設置孔１２に入賞球通路４７を挿入するようにして装着される。また、このベース体４０が装着されることで、この役物設置孔１２はベース体４０により塞がれ、あとは入賞球進入口４４のみが正面方向に臨むこととなる。そして、この入賞球進入口４４から阻止部材４５が除去されるか、又は、残存するかにより、１個の役物設置孔１２が、入賞口として機能したり、又は、しなかったりすることとなる。
【００３１】
飾り部材５０は、前記ベース体４０の正面側に装着される部材で、以下の構成を備える。
▲１▼開口部５１。これは、打球９０が進入可能な径を有する。
▲２▼打球誘導路５２。これは、飾り部材５０の中を、該開口部５１から前記入賞球進入口４４まで打球９０を誘導する通路である。この打球誘導路５２は、前記入賞球進入口４４から阻止部材４５が除去されているか又は残存しているかにより、以下の２通りのうちのいずれかの態様をとる。
【００３２】
（ａ）阻止部材４５が除去されている場合、入賞球進入口４４までの打球誘導路５２は、当該入賞球進入口４４へ打球９０を誘導する形状とされる。たとえば、打球誘導路５２の末端を、当該入賞球進入口４４付近で盲端５４にすることができる。そして、この盲端５４に至った打球９０は当該入賞球進入口４４以外に行き場がなくなることによって、当該打球９０を当該入賞球進入口４４へ誘導するされることとなる。
【００３３】
（ｂ）阻止部材４５が残存している場合、入賞球進入口４４までの打球誘導路５２は、打球９０を遊技盤面２０へ排出する形状とされる。たとえば、打球誘導路５２の末端を、当該入賞球進入口４４を通過して遊技盤面２０に向けた開放端５３とすることができる。そして、この阻止部材４５により、打球９０は当該入賞球進入口４４へ進入し得ず、これを通過する。そして、打球９０はこの開放端５３へ至り、遊技盤面２０に排出されることとなる。
【００３４】
たとえば、ベース体４０の入賞球進入口４４からに阻止部材４５が除去されている場合には、当該入賞球進入口４４はいわゆる入賞口として取り扱われることとなる。この場合、当該ベース体４０には、当該入賞球進入口４４へと打球９０を誘導する形状の打球誘導路５２を備えた飾り部材５０が装着されることとなる。
そして、この飾り部材５０の開口部５１から打球９０が進入すると、この打球９０は打球誘導路５２を通じて、当該入賞球進入口４４へと誘導され、進入することとなる。当該入賞球進入口４４へ進入した打球９０は、入賞球９５として、入賞球通路４７を通行する。この打球９０は、たとえばその下流に設けられた光学センサ等により検知され、これにより入賞が発生することとなる。
【００３５】
一方、ベース体４０の入賞球進入口４４に阻止部材４５が残存している場合には、当該入賞球進入口４４に入賞球９５が進入することは不可能なため、いわゆる入賞口として取り扱われることはない。この場合、当該ベース体４０には、この打球９０を遊技盤面２０へ排出する形状の打球誘導路５２を備えた飾り部材５０が装着されることとなる。
【００３６】
そして、この飾り部材５０の開口部５１から打球９０が進入すると、この打球９０は打球誘導路５２を通じて、当該入賞球進入口４４へと至る。しかし、阻止部材４５により当該入賞球進入口４４には当該打球９０は進入し得ない。したがって、当該打球９０は入賞球進入口４４を通過し、遊技盤面２０へ排出される。すなわち、当該打球９０は、入賞を発生させることなく、「外れ」となる。
【００３７】
実際には、ベース体４０の入賞球進入口４４の態様（すなわち、阻止部材４５が除去されるか、又は、残存しているか）に応じた形状の打球誘導路５２を有する飾り部材５０をあらかじめ形成しておくこととなる。
上記構成により、役物設置孔１２の各々について、実際の遊技盤面２０の仕様に応じて、入賞口として取り扱うか否かに関わらず、ベース体４０は共通とすることが可能となる。そして、当該役物設置孔１２を入賞口として取り扱う場合には入賞球進入口４４から阻止部材４５を除去し、又は、入賞口として取り扱わない場合には阻止部材４５を残存させ、さらに、この入賞球進入口４４の態様に応じた飾り部材５０をベース体４０に装着することで、入賞装置を形成したり、又は、単に打球９０が通過するに過ぎない通過装置を形成したりすることが可能となっている。
【００３８】
すなわち、▲１▼１種類のベース体４０、及び、▲２▼入賞球進入口４４の態様に応じた種類の飾り部材５０、という部品の組み合わせによって、実際の弾球遊技機１０の仕様に応じて、入賞装置を構成したり、また、通過装置を構成したりすることが可能となっている。また、この弾球遊技機用役物３０を通過装置として使用する場合においても、飾り部材５０の打球誘導路５２の形状を、ベース体４０の入賞球進入口４４の位置を避けるように設計する必要はなくなっている。
【００３９】
（４）第４の発明
本発明のうちの第４の発明は、弾球遊技が展開される遊技盤面２０の所要位置に装着され、該遊技盤面２０の正面方向に臨む２の入賞球進入口４４、前記各入賞球進入口４４の辺縁と被切断部４５ａを介して連結することで当該入賞球進入口４４への打球９０の進入を阻止する阻止部材４５、及び、前記入賞球進入口４４の各々から前記遊技盤面２０の背面へ連通して、前記被切断部４５ａが切断され当該阻止部材４５が除去されることで当該入賞球進入口４４が開放した場合に入賞球９５が通行可能な入賞球通路４７を有するベース体４０、並びに、前記ベース体４０の正面側に装着され、打球９０が進入可能な開口部５１及び該開口部５１から前記入賞球進入口４４の各々まで分岐して打球９０を誘導する打球誘導路５２を有する飾り部材５０を備える弾球遊技機用役物３０であって、前記飾り部材５０において、前記２の入賞球進入口４４でそれぞれ前記阻止部材４５が除去されているか、又は、残存しているかの組み合わせに応じて、除去されている側の入賞球進入口４４までの打球誘導路５２は、当該入賞球進入口４４へ打球９０を誘導する形状とされ、また、残存している側の入賞球進入口４４までの打球誘導路５２は、打球９０を遊技盤面２０へ排出する形状とされていることを特徴とする。
【００４０】
すなわち、本第４の発明における各構成要素の意義は前記第３の発明におけるものと同様である。しかし、前記の第３の発明に係る弾球遊技機用役物３０においては、ベース体４０に設けられる入賞球進入口４４及び入賞球通路４７の数については特に限定はないが、本第４の発明は、ベース体４０に設けられる入賞球進入口４４及び入賞球通路４７の数を２個と限定した点で前記第３の発明と相違している。
【００４１】
すなわち、入賞球通路４７は、各入賞球進入口４４に応じて別個に設けられることとなっている。
また、各入賞球進入口４４に連結されている阻止部材４５は、各々について、除去されるか又は残存するかのいずれかの態様をとることとなる。すなわち、１のベース体４０については、阻止部材４５の態様は、以下の４通りが可能となっている。
【００４２】
▲１▼両入賞球進入口４４とも除去されている。
▲２▼一方の入賞球進入口４４では除去され、及び、他方では残存している。
▲３▼一方の入賞球進入口４４では残存し、及び、他方では除去されている。
▲４▼両入賞球進入口４４とも残存している。
さらに、飾り部材５０内部の打球誘導路５２については、開口部５１から各入賞球進入口４４まで分岐し、その末端は２つあることとなっている。
【００４３】
そして、その打球誘導路５２の形状は、上記阻止部材４５の態様に対応して、以下の通りとなる。
▲１▼両末端とも、入賞球進入口４４へ打球９０を誘導する形状。
▲２▼一方の入賞球進入口４４に当たる末端は入賞球進入口４４へ打球９０を誘導する形状、及び、他方に当たる末端は打球９０を遊技盤面２０へ排出する形状。
【００４４】
▲３▼一方の入賞球進入口４４に当たる末端は打球９０を遊技盤面２０へ排出する形状、及び、他方に当たる末端は入賞球進入口４４へ打球９０を誘導する形状。
▲４▼両末端とも、打球９０を遊技盤面２０へ排出する形状。
すなわち、飾り部材５０としては、上記４通りの形状に対応する物をあらかじめ形成しておけばよいこととなる。そして、上記▲１▼の場合には、１の役物設置孔１２が、２の入賞口として機能することとなる。また、上記▲２▼及び▲３▼の場合には、１の役物設置孔１２が、１の入賞口として機能するが、その位置について２通りの態様があり得る。さらに、上記▲４▼の場合には、１の役物設置孔１２を入賞口として機能させないこととなる。
【００４５】
すなわち、▲１▼１種類のベース体４０、及び、▲２▼４種類の打球誘導路５２の形状に応じた飾り部材５０、という部品の組み合わせによって、実際の弾球遊技機１０の仕様に応じて、２の入賞口を有し専ら入賞装置として機能する役物を構成したり、入賞装置と通過装置とを兼ね備えた役物を構成したり、又は、専ら通過装置として機能する役物を構成したりすることが可能となっている。また、この弾球遊技機用役物３０を通過装置として使用する場合においても、飾り部材５０の打球誘導路５２の形状を、ベース体４０の入賞球進入口４４の位置を避けるように設計する必要はなくなっている。
【００４６】
【発明の実施の形態】
以下、本発明の実施の形態について、図面を参照しつつ説明する。なお、以下の説明において、「正面」とは弾球遊技機１０の正面を意味し、また、「背面」とは弾球遊技機１０の背面を意味する。さらに、左右方向に言及している場合には、弾球遊技機１０を正面から見た状態で説明しているものとする。
【００４７】
（１）第１の実施の形態
（１−１）遊技盤面２０
本実施の形態に係る弾球遊技機用役物３０は、図１に正面図で示す弾球遊技機１０の遊技盤面２０に装着される。
本実施の形態においては、遊技盤面２０の中央には、液晶画面による画像表示装置２１が設置される。その上方には、４個の保留ランプ２２が設けられる。
【００４８】
上記画像表示装置２１の左右には、それぞれ弾球遊技機用役物３０が設置される。一方、上記画像表示装置２１の下方には、始動入賞口２３が設けられる。また、この始動入賞口２３の左右には、それぞれ一般入賞口２４が設けられる。
上記始動入賞口２３の下方には、大入賞口２６を有するアタッカーユニット２５が設置されている。このアタッカーユニット２５の左右端にもそれぞれ一般入賞口２４が設けられている。
【００４９】
上記アタッカーユニット２５の下方で、遊技盤面２０の下端部には、アウト口２７が設けられている。
図示されない弾球装置から発射された打球９０は、遊技盤面２０左側のレール２８に沿って上昇し、遊技盤面２０へ打ち出される。打ち出された打球９０は、図示しない釘や風車に接触しつつ遊技盤面２０を落下する。そして、上記の各一般入賞口２４に入賞した場合には、当該打球９０は入賞球９５として取り扱われ、その入賞１回につき５球の賞球が遊技者に払い出されることとなる。また、打球９０は、始動入賞口２３、又は、大当たり遊技中の場合には大入賞口２６にも入賞することがあるが、これらの場合についての説明は省略する。そして、上記各一般入賞口２４、始動入賞口２３及び大入賞口２６のいずれにも入賞できなかった打球９０は、アウト球としてアウト口２７から排出され回収されることとなっている。
【００５０】
（１−２）弾球遊技機用役物３０
図２から図９までは、本実施の形態に係る弾球遊技機用役物３０の構造を示したものである。
本実施の形態に係る弾球遊技機用役物３０は、図２の背面斜視図に示すように、遊技板１１の役物設置孔１２（図７参照）に設置されるベース体４０と、このベース体４０の正面に装着される飾り部材５０と、このベース体４０に背面側から装着されることがある被挿入部材６０とから構成される。
【００５１】
（１−２−１）ベース体４０
図３は、本実施の形態におけるベース体４０を正面図（Ａ）及び右側面図（Ｂ）で示したものである。
ベース体４０は、ＡＢＳ、ポリプロピレン、ポリカーボネート等の樹脂による一体成形で形成されている。
【００５２】
ベース体４０の正面部分は、遊技板１１の役物設置孔１２（図７参照）を塞ぐ大きさの正面板４１となっている。この正面板４１に、上部がアーチ型の開口である入賞球進入口４４が２個、左右に並設されている。また、正面板４１には、その左右両辺に、遊技板１１への取付け用の遊技板ネジ孔４２が２個設けられているとともに、入賞球進入口４４の上方に、飾り部材５０取付け用の飾り部材ネジ孔４３が２個設けられている。
【００５３】
各入賞球進入口４４から背面方向へ向かって、かまぼこ状の入賞球ガイド４６が突出している。この入賞球ガイド４６の内部空間が、入賞球通路４７となっている。入賞球通路４７は、背面へ向かってやや下垂しており、入賞球９５が背面方向へ流下しやすくなっている。また、各入賞球通路４７の下方には、被挿入部材６０が挿入される断面長方形の被挿入部材支持空間４８が設けられている。さらに、この各被挿入部材支持空間４８の左方には、挿入された被挿入部材６０の背面端を支持する爪状の支持爪４９が設けられている。
【００５４】
（１−２−２）飾り部材５０
図４は、本実施の形態における飾り部材５０を正面図（Ａ）及び右側面図（Ｂ）で示したものである。
飾り部材５０は、ＡＢＳ、ポリプロピレン等の樹脂による一体成形で形成されている。
【００５５】
図２に示す飾り部材５０には、上方に開口した開口部５１が設けられているとともに、この開口部５１から打球誘導路５２が分岐し、その分岐した先は、右方が開放端５３に、及び、左方が盲端５４となっている。また、盲端５４となっている側の下端には、入賞球９５を入賞球進入口４４へ導く導入ガイドリブ５５が設けられている。さらに、前記飾り部材ネジ孔４３に対応する位置に、取付ボス５６が設けられている。
【００５６】
なお、図示はしないが、上記の開放端５３と盲端５４とが左右逆となっている飾り部材５０もある。また、左右とも開放端５３となっている飾り部材５０（図８及び図９（Ｂ）参照）や、左右とも盲端５４となっている飾り部材５０（図９（Ａ）参照）もある。
（１−２−３）被挿入部材６０
被挿入部材６０は、ＡＢＳ、ポリプロピレン、ポリカーボネート等の樹脂により形成され、下記の入賞部材７０又は外れ部材８０の形態をとり得る。
【００５７】
（１−２−３−１）入賞部材７０
入賞部材７０は、図２に示すように、被挿入部材支持空間４８に挿入可能な形状の被挿入体７１の背面側に、入賞球９５が通過可能な径の通過孔７２を有する構造となっている。また、この通過孔７２には、光学センサや磁気センサ等を用いた検知部７３が装着されている。
【００５８】
（１−２−３−２）外れ部材８０
図５は、本実施の形態における外れ部材８０を正面図（Ａ）及び右側面図（Ｂ）で示したものである。
外れ部材８０は、被挿入部材支持空間４８に挿入可能な形状の被挿入体８１の正面側の端部上方に、入賞球進入口４４の開口内に収まる形状の阻止部８２を突出させた構造となっている。
【００５９】
（１−２−３−３）被挿入部材６０の組み合わせ
被挿入部材６０は、１のベース体４０につき、２個挿入されることとなっており、その可能な組み合わせは以下の４通りとなっている。
▲１▼左の入賞球通路４７に入賞部材７０、及び右の入賞球通路４７に外れ部材８０。
▲２▼左の入賞球通路４７に外れ部材８０、及び右の入賞球通路４７に入賞部材７０。
【００６０】
▲３▼左右の入賞球通路４７とも入賞部材７０。
▲４▼左右の入賞球通路４７とも外れ部材８０。
（１−３）部材の組み合わせ
図６は、図２に示す各部材から組み立てられた弾球遊技機用役物３０を、背面斜視図で示したものである。また、図７（Ａ）は、図６をＡ−Ａ断面で示したものであり、図７（Ｂ）は図６をＢ−Ｂ断面で示したものである。さらに、図８は、図２とは異なる形状の飾り部材５０が用いられる弾球遊技機用役物３０（ただし、被挿入部材６０は省略されている）を背面斜視図で示したものである。また、図９は、図２とは異なる形状の飾り部材５０が用いられる弾球遊技機用役物３０を正面図で示したものである。
【００６１】
上記▲１▼のように、左の入賞球通路４７に入賞部材７０、及び右の入賞球通路４７に外れ部材８０が挿入される場合には、打球誘導路５２の左末端が盲端５４で、右末端が開放端５３となっている飾り部材５０がベース体４０に装着される。具体的には、ベース体４０の背面から入賞部材７０及び外れ部材８０がそれぞれ左右の入賞球通路４７へ挿入された後、正面板４１の飾り部材ネジ孔４３と飾り部材５０の取付ボス５６との位置を合わせ、正面板４１の背面からビスでネジ止めすることで、図６に示すような弾球遊技機用役物３０が組み立てられる。この状態で、遊技板１１の役物設置孔１２に、飾り部材ネジ孔４３でネジ止めされることとなる（図１及び図７参照）。
【００６２】
なお、上記▲２▼の場合は、上記▲１▼の場合と左右が逆になるだけであるので、特に図示はしない。
また、上記▲３▼のように、左右の入賞球通路４７ともに入賞部材７０が挿入される場合には、打球誘導路５２の左右末端とも盲端５４となっている飾り部材５０がベース体４０に装着される（図９（Ａ）参照）。なお、組立手順及び遊技盤面２０への設置については上記▲１▼の場合と同様である。
【００６３】
さらに、上記▲４▼のように、左右の入賞球通路４７ともに外れ部材８０が挿入される場合には、打球誘導路５２の左右末端とも開放端５３となっている飾り部材５０がベース体４０に装着される（図８及び図９（Ｂ）参照）。なお、組立手順及び遊技盤面２０への設置については上記▲１▼の場合と同様である。
（１−４）打球９０の挙動
（１−４−１）前記▲１▼又は▲２▼の場合
前記▲１▼又は▲２▼の場合は、飾り部材５０の開口部５１から進入した打球９０は、図７に示すような挙動を示す。
【００６４】
打球９０が飾り部材５０の開口部５１から進入すると、打球誘導路５２内において、左右いずれかに落下する。
ここで、入賞球通路４７に外れ部材８０が挿入されている方向（図２では右方向）へ打球９０が落下すると、図７（Ａ）の断面図で示すように当該方向の入賞球進入口４４には外れ部材８０の阻止部８２が位置しており、打球９０が進入することはできない。さらに、当該方向における打球誘導路５２の末端は開放端５３となっているので（図２参照）、入賞球進入口４４に進入できなかった打球９０は、当該開放端５３から遊技盤面２０へ落下することとなる。すなわち、当該打球９０は、入賞球９５として取り扱われることはない。
【００６５】
一方、入賞球通路４７に入賞部材７０が挿入されている方向（図２では左方向）へ打球９０が落下すると、当該方向における打球誘導路５２の末端は盲端５４となっている（図２参照）。さらに、図７（Ｂ）の断面図で示すように当該方向の入賞球進入口４４は開放しているため、打球９０はこの入賞球進入口４４へ進入し、入賞球通路４７を進んで、通過孔７２を通過する際に、検知部７３で検知される。すなわち、当該打球９０は、入賞球９５として取り扱われるとともに、当該入賞球進入口４４は、前記一般入賞口２４と同等の機能を有することとなる。
【００６６】
よって、前記▲１▼又は▲２▼の場合は、１の役物設置孔１２に取り付けられた弾球遊技機用役物３０は、１の一般入賞口２４として機能することとなっている。すなわち、この場合、弾球遊技機用役物３０は入賞装置及び通過装置としての機能を兼ね備えることとなっている。
（１−４−２）前記▲３▼の場合
前記▲３▼の場合は、飾り部材５０の開口部５１から進入した打球９０は、図９（Ａ）に示すような挙動を示す。
【００６７】
打球９０が飾り部材５０の開口部５１から進入すると、打球誘導路５２内において、左右いずれかに落下する。
ここで、いずれの方向へ打球９０が落下しても、打球誘導路５２の末端は盲端５４となっている。（図９（Ａ）参照）。さらに、いずれの方向とも入賞球進入口４４は図７（Ｂ）の断面図で示すのと同じように開放しているため、打球９０は当該入賞球進入口４４へ進入し、入賞球通路４７を進んで、通過孔７２を通過する際に、検知部７３で検知される。すなわち、当該打球９０は、入賞球９５として取り扱われるとともに、両入賞球進入口４４は、前記一般入賞口２４と同等の機能を有することとなる。
【００６８】
よって、前記▲３▼の場合は、１の役物設置孔１２に取り付けられた弾球遊技機用役物３０は、２の一般入賞口２４として機能することとなっている。すなわち、この場合、弾球遊技機用役物３０は、入賞装置としての機能のみを有することとなっている。
（１−４−３）前記▲４▼の場合
前記▲４▼の場合は、飾り部材５０の開口部５１から進入した打球９０は、図９（Ｂ）に示すような挙動を示す。
【００６９】
打球９０が飾り部材５０の開口部５１から進入すると、打球誘導路５２内において、左右いずれかに落下する。
ここで、いずれの方向へ打球９０が落下しても、入賞球進入口４４には図７（Ａ）の断面図で示すのと同じように外れ部材８０の阻止部８２が位置しており、打球９０が進入することはできない。さらに、両方向とも打球誘導路５２の末端は開放端５３となっているので（図９（Ｂ）参照）、当該入賞球進入口４４に進入できなかった打球９０は、当該開放端５３から遊技盤面２０へ落下することとなる。すなわち、当該打球９０は、入賞球９５として取り扱われることはない。
【００７０】
よって、前記▲４▼の場合は、１の役物設置孔１２に取り付けられた弾球遊技機用役物３０は、一般入賞口２４としては機能しないこととなっている。すなわち、この場合、弾球遊技機用役物３０は通過装置としての機能のみを有することとなっている。
したがって、この弾球遊技機用役物３０を通過装置として使用する場合においても、被挿入部材６０として外れ部材８０を使用することで入賞球進入口４４へは打球９０の進入は不可能となっているため、飾り部材５０の打球誘導路５２の形状を、ベース体４０の入賞球進入口４４の位置を避けるように設計する必要はなくなっている。
【００７１】
なお、ベース体４０に設けられる入賞球進入口４４を１個とした場合においても、当該入賞球通路４７に挿入される被挿入部材６０を入賞部材７０とするか外れ部材８０とするかによって、この弾球遊技機役物３０を入賞装置として使用することも、また、通過装置として使用することも可能となっている。
（２）第２の実施の形態
（２−１）遊技盤面２０
本実施の形態に係る弾球遊技機用役物３０は、図１に示す弾球遊技機１０の遊技盤面２０に装着される。
【００７２】
この遊技盤面２０については、前記（１−１）と同様であるので、説明は省略する。
（２−２）弾球遊技機用役物３０
図１０から図１４までは、本実施の形態に係る弾球遊技機用役物３０の構造を示したものである。
【００７３】
本実施の形態に係る弾球遊技機用役物３０は、図１０の背面斜視図に示すように、遊技板１１の役物設置孔１２（図１４（Ｂ）及び（Ｃ）参照）に設置されるベース体４０と、このベース体４０の正面に装着される飾り部材５０と、このベース体４０に背面側から装着されることがある入賞部材７０とから構成される。
（２−２−１）ベース体４０
図１１は、本実施の形態におけるベース体４０を正面斜視図で示したものである。また、図１２は、本実施の形態におけるベース体４０を正面図（Ａ）及び背面図（Ｂ）で示したものである。さらに、図１３は、入賞球進入口４４の態様を正面図で示したものである。
【００７４】
ベース体４０は、ＡＢＳ、ポリプロピレン、ポリカーボネート等の樹脂による一体成形で形成されている。
ベース体４０の正面部分は、遊技板１１の役物設置孔１２（図７参照）を塞ぐ大きさの正面板４１となっている。この正面板４１に、上部がアーチ型の開口である入賞球進入口４４が２個、左右に並設されている。この入賞球進入口４４には、入賞球９５の進入を阻止する阻止部材４５が設けられている。この阻止部材４５は、入賞球進入口４４の辺縁に、３個所の被切断部４５ａを介して連結されている。この阻止部材４５の存在により、入賞球進入口４４には入賞球９５が進入する余地はない（Ａ）。しかし、被切断部４５ａはニッパー等の工具で容易に切断可能となっている。そして、被切断部４５ａの切断により阻止部材４５が除去されると、入賞球進入口４４は入賞球９５が進入する十分な余地が生ずることとなる（Ｂ）。なお、被切断部４５ａは、切断した際の切断面と入賞球９５との干渉を防ぐために、入賞球進入口４４の下縁以外の縁に設けるのが望ましい。さらに、被切断部４５ａを入賞球進入口４４の左右縁に設ける場合には、左右の切断面同士の間隔が入賞球９５の直径よりも広くなるように構成することが望ましい。また、正面板４１には、その左右両辺に、遊技板１１への取付け用の遊技板ネジ孔４２が２個設けられているとともに、入賞球進入口４４の上方に、飾り部材５０取付け用の飾り部材ネジ孔４３が２個設けられている。
【００７５】
各入賞球進入口４４から背面方向へ向かって、かまぼこ状の入賞球ガイド４６が突出している。この入賞球ガイド４６の内部空間が、入賞球通路４７となっている（図１４（Ａ）参照）。入賞球通路４７は、背面へ向かってやや下垂しており、入賞球９５が背面方向へ流下しやすくなっている。また、各入賞球通路４７の下方には、入賞部材７０が挿入され得る断面長方形の被挿入部材支持空間４８が設けられている。さらに、この各被挿入部材支持空間４８の左方には、挿入された入賞部材７０の背面端を支持する爪状の支持爪４９が設けられている。なお、入賞球ガイド４６の背面端には、前記阻止部材４５の成型の都合上、切欠が設けられている。
【００７６】
（２−２−２）飾り部材５０
飾り部材５０は、ＡＢＳ、ポリプロピレン等の樹脂による一体成形で形成されている。
図１０に示す飾り部材５０には、上方に開口した開口部５１が設けられているとともに、この開口部５１から打球誘導路５２が分岐し、その分岐した先は、右方が開放端５３に、及び、左方が盲端５４となっている。また、盲端５４となっている側の下端には、入賞球９５を入賞球進入口４４へ導く導入ガイドリブ５５が設けられている。さらに、前記飾り部材ネジ孔４３に対応する位置に、取付ボス５６が設けられている。
【００７７】
なお、図示はしないが、上記の開放端５３と盲端５４とが左右逆となっている飾り部材５０もある。また、図８及び図９（Ｂ）に示すのと同様な左右とも開放端５３となっている飾り部材５０や、図９（Ａ）に示すのと同様な左右とも盲端５４となっている飾り部材５０もある。
（２−２−３）入賞部材７０
入賞部材７０は、ＡＢＳ、ポリプロピレン、ポリカーボネート等の樹脂により形成され、図１０に示すように、被挿入部材支持空間４８に挿入可能な形状の被挿入体７１の背面側に、入賞球９５が通過可能な径の通過孔７２を有する構造となっている。また、この通過孔７２には、光学センサや磁気センサ等を用いた検知部７３が装着されている。
【００７８】
（２−３）部材の組み合わせ
図１４は、図１０に示す各部材から組み立てられた弾球遊技機用役物３０を、Ｃ−Ｃ断面（Ａ）、Ｄ−Ｄ断面（Ｂ）及びＥ−Ｅ断面（Ｃ）でそれぞれ示したものである。
前記阻止部材４５は、１のベース体４０につき２個存在し、その各々について除去するか又は残存させるかが可能であるためその組み合わせは以下の４通りとなっている。
【００７９】
▲１▼左の阻止部材４５を除去、右の阻止部材４５は残存。
▲２▼左の阻止部材４５を残存、右の阻止部材４５は除去。
▲３▼左右の阻止部材４５とも除去。
▲４▼左右の阻止部材４５とも残存。
上記▲１▼のように、左の阻止部材４５が除去され、及び右の阻止部材４５が残存する場合には、図１０に示すような、打球誘導路５２の左末端が盲端５４で、右末端が開放端５３となっている飾り部材５０がベース体４０に装着される。具体的には、ベース体４０の背面から入賞部材７０が、阻止部材４５が除去された方の、左側の入賞球通路４７へ挿入された後、正面板４１の飾り部材ネジ孔４３と飾り部材５０の取付ボス５６との位置を合わせ、正面板４１の背面からビスでネジ止めすることで、弾球遊技機用役物３０が組み立てられる。この状態で、遊技板１１の役物設置孔１２に、飾り部材ネジ孔４３でネジ止めされることとなる（図１参照）。
【００８０】
なお、上記▲２▼の場合は、上記▲１▼の場合と左右が逆になるだけである。
また、上記▲３▼のように、左右の阻止部材４５ともに除去される場合には、両方の入賞球通路４７ともに入賞部材７０が挿入される。そして、図９（Ａ）に示すのと同様な、打球誘導路５２の左右末端とも盲端５４となっている飾り部材５０がベース体４０に装着される。なお、組立手順及び遊技盤面２０への設置については上記▲１▼の場合と同様である。
【００８１】
さらに、上記▲４▼のように、左右の阻止部材４５がともに残存する場合には、いずれの入賞球通路４７にも入賞部材７０は挿入されず、図８及び図９（Ｂ）に示すのと同様な、打球誘導路５２の左右末端とも開放端５３となっている飾り部材５０がベース体４０に装着される。なお、組立手順及び遊技盤面２０への設置については上記▲１▼の場合と同様である。
【００８２】
（２−４）打球９０の挙動
（２−４−１）前記▲１▼又は▲２▼の場合
前記▲１▼又は▲２▼の場合は、飾り部材５０の開口部５１から進入した打球９０は、図１４（Ａ）及び（Ｂ）に示すような挙動を示す。
打球９０が飾り部材５０の開口部５１から進入すると、打球誘導路５２内において、左右いずれかに落下する。
【００８３】
ここで、入賞球通路４７に入賞部材７０が挿入されていない方向（図１０では右方向）へ打球９０が落下すると、図１４（Ｂ）の断面図で示すように当該方向の入賞球進入口４４には阻止部材４５が残存しており、打球９０が進入することはできない。さらに、当該方向における打球誘導路５２の末端は開放端５３となっているので（図１０参照）、入賞球進入口４４に進入できなかった打球９０は、当該開放端５３から遊技盤面２０へ落下することとなる。すなわち、当該打球９０は、入賞球９５として取り扱われることはない。
【００８４】
一方、入賞球通路４７に入賞部材７０が挿入されている方向（図１０では左方向）へ打球９０が落下すると、当該方向における打球誘導路５２の末端は盲端５４となっている（図１０参照）。さらに、図１４（Ｃ）の断面図で示すように当該方向の入賞球進入口４４は、阻止部材４５の除去により開放しているため、打球９０はこの入賞球進入口４４へ進入し、入賞球通路４７を進んで、通過孔７２を通過する際に、検知部７３で検知される。すなわち、当該打球９０は、入賞球９５として取り扱われるとともに、当該入賞球進入口４４は、前記一般入賞口２４と同等の機能を有することとなる。
【００８５】
よって、前記▲１▼又は▲２▼の場合は、１の役物設置孔１２に取り付けられた弾球遊技機用役物３０は、１の一般入賞口２４として機能することとなっている。すなわち、この場合、弾球遊技機用役物３０は入賞装置及び通過装置としての機能を兼ね備えることとなっている。
（２−４−２）前記▲３▼の場合
前記▲３▼の場合は、飾り部材５０の開口部５１から進入した打球９０は、図９（Ａ）に示す場合と同様な挙動を示す。
【００８６】
打球９０が飾り部材５０の開口部５１から進入すると、打球誘導路５２内において、左右いずれかに落下する。
ここで、いずれの方向へ打球９０が落下しても、打球誘導路５２の末端は盲端５４となっている（図９（Ａ）参照）。さらに、いずれの方向とも入賞球進入口４４は図１４（Ｃ）の断面図で示すのと同じように、阻止部材４５の除去により開放しているため、打球９０は当該入賞球進入口４４へ進入し、入賞球通路４７を進んで、通過孔７２を通過する際に、検知部７３で検知される。すなわち、当該打球９０は、入賞球９５として取り扱われるとともに、両入賞球進入口４４は、前記一般入賞口２４と同等の機能を有することとなる。
【００８７】
よって、前記▲３▼の場合は、１の役物設置孔１２に取り付けられた弾球遊技機用役物３０は、２の一般入賞口２４として機能することとなっている。すなわち、この場合、弾球遊技機用役物３０は入賞装置としての機能のみを有することとなっている。
（２−４−３）前記▲４▼の場合
前記▲４▼の場合は、飾り部材５０の開口部５１から進入した打球９０は、図９（Ｂ）に示す場合と同様な挙動を示す。
【００８８】
打球９０が飾り部材５０の開口部５１から進入すると、打球誘導路５２内において、左右いずれかに落下する。
ここで、いずれの方向へ打球９０が落下しても、入賞球進入口４４には図１４（Ｂ）の断面図で示すのと同じように阻止部材４５が残存しており、打球９０が進入することはできない。さらに、両方向とも打球誘導路５２の末端は開放端５３となっているので（図９（Ｂ）参照）、当該入賞球進入口４４に進入できなかった打球９０は、当該開放端５３から遊技盤面２０へ落下することとなる。すなわち、当該打球９０は、入賞球９５として取り扱われることはない。
【００８９】
よって、前記▲４▼の場合は、１の役物設置孔１２に取り付けられた弾球遊技機用役物３０は、一般入賞口２４としては機能しないこととなっている。すなわち、この場合、弾球遊技機用役物３０は通過装置としての機能のみを有することとなっている。
したがって、この弾球遊技機用役物３０を通過装置として使用する場合においても、阻止部材４５を残存させることで入賞球進入口４４へは打球９０の進入は不可能となっているため、飾り部材５０の打球誘導路５２の形状を、ベース体４０の入賞球進入口４４の位置を避けるように設計する必要はなくなっている。それとともに、入賞球進入口４４への打球９０の進入を妨げるための部品を別途必要とせず、部品管理がより容易となっている。
【００９０】
なお、ベース体４０に設けられる入賞球進入口４４を１個とした場合においても、当該入賞球進入口４４の阻止部材４５を除去するか残存させるかによって、この弾球遊技機役物３０を入賞装置として使用することも、また、通過装置として使用することも可能となっている。
【００９１】
【発明の効果】
本発明は、上記のように構成されているので、以下に記す効果を奏する。
すなわち、本発明により、ベース体と飾り部材とを備える弾球遊技機用役物において、飾り部材の打球誘導路の設計を、具体的な盤面構成に応じて、ベース体の入賞球進入口の開口位置に制限されることなく、自由に行えるようにすることが可能となる。
【図面の簡単な説明】
【図１】本発明の実施の形態に係る弾球遊技機用役物が装着される遊技盤面を正面図で示したものである。
【図２】本発明の第１の実施の形態に係る弾球遊技機用役物の構成を背面斜視図で示したものである。
【図３】本発明の第１の実施の形態に係る弾球遊技機用役物のベース体を正面図（Ａ）及び右側面図（Ｂ）で示したものである。
【図４】本発明の第１の実施の形態に係る弾球遊技機用役物の飾り部材を正面図（Ａ）及び右側面図（Ｂ）で示したものである。
【図５】本発明の第１の実施の形態に係る弾球遊技機用役物に用いられる外れ部材を正面図（Ａ）及び右側面図（Ｂ）で示したものである。
【図６】図２に示す各部材から組み立てられた本発明の第１の実施の形態に係る弾球遊技機用役物を、背面斜視図で示したものである。
【図７】図６に示す本発明の第１の実施の形態に係る弾球遊技機用役物をＡ−Ａ断面（Ａ）及びＢ−Ｂ断面（Ｂ）でそれぞれ示したものである。
【図８】図２とは異なる形状の飾り部材が用いられる本発明の第１の実施の形態に係る弾球遊技機用役物を背面斜視図で示したものである。ただし、被挿入部材は省略されている。
【図９】図２とは異なる形状の飾り部材が用いられる本発明の第１の実施の形態に係る弾球遊技機用役物を正面図で示したものであり、打球誘導路の両末端が、盲端５４となっているもの（Ａ）及び閉鎖端となっているもの（Ｂ）をそれぞれ示す。ただし、理解の便のため、弾球遊技機用役物内の打球及び入賞球進入口は実線で表してある。
【図１０】本発明の第２の実施の形態に係る弾球遊技機用役物の構成を背面斜視図で示したものである。
【図１１】本発明の第２の実施の形態に係る弾球遊技機用役物のベース体を正面斜視図で示したものである。
【図１２】本発明の第２の実施の形態に係る弾球遊技機用役物のベース体を正面図（Ａ）及び背面図（Ｂ）で示したものである。
【図１３】本発明の第２の実施の形態に係る弾球遊技機用役物のベース体における入賞球進入口の態様を正面図で示したものであり、阻止部材が、残存している状態（Ａ）及び除去されている状態（Ｂ）をそれぞれ示す。
【図１４】図１０に示す各部材から組み立てられた本発明の第２の実施の形態に係る弾球遊技機用役物を、Ｃ−Ｃ断面（Ａ）、Ｄ−Ｄ断面（Ｂ）及びＥ−Ｅ断面（Ｃ）でそれぞれ示したものである。
【符号の説明】
１０  弾球遊技機
１１  遊技板                １２  役物設置孔
２０  遊技盤面              ２１  画像表示装置
２２  保留ランプ            ２３  始動入賞口
２４  一般入賞口            ２５  アタッカーユニット
２６  大入賞口              ２７  アウト口
２８  レール
３０  弾球遊技機用役物
４０  ベース体
４１  正面板                ４２  遊技板ネジ孔
４３  飾り部材ネジ孔        ４４  入賞球進入口
４５  阻止部材              ４５ａ    被切断部
４６  入賞球ガイド          ４７  入賞球通路
４８  被挿入部材支持空間    ４９  支持爪
５０  飾り部材
５１  開口部
５２  打球誘導路            ５３  開放端
５４  盲端                  ５５  導入ガイドリブ
５６  取付ボス
６０  被挿入部材
７０  入賞部材              ７１  被挿入体
７２  通過孔                ７３  検知部
８０  外れ部材              ８１  被挿入体
８２  阻止部
９０  打球                  ９５  入賞球
【図１】
2004174128.tif 000003
【図２】
2004174128.tif 000004
【図３】
2004174128.tif 000005
【図４】
2004174128.tif 000006
【図５】
2004174128.tif 000007
【図６】
2004174128.tif 000008
【図７】
2004174128.tif 000009
【図８】
2004174128.tif 000010
【図９】
2004174128.tif 000011
【図１０】
2004174128.tif 000012
【図１１】
2004174128.tif 000013
【図１２】
2004174128.tif 000014
【図１３】
2004174128.tif 000015
【図１４】
2004174128.tif 000016